(57)【要約】【課題】放光調整部を備えた光ダクト放光部構造において、放光部個々の光出射量調整および多様化並びに放光部・放光調整部回りの外観上の目立ち防止化を図る。【解決手段】光ダクト１の光入射用の採光部１ａと光出射用の放光部１ｃとの間の導光部１ｂにおける、放光部１ｃとの離間対向部分に放光調整部２を配設した。放光調整部２は放光部対向側の反射表面２ａおよびその反対側の反射裏面２ｂを備えた両面光反射部材とする。放光調整部２は、例えば導光部の光伝搬方向に沿った態様で配設し、反射表面２ａおよび反射裏面２ｂを鏡面仕様または拡散高反射仕様とし、それらとの間で貫通する光通過用の複数の孔部２ｃを有する。また、放光調整部２は各種形状を用いることができる。【選択図】図１
2020035616.tif 000002
【特許請求の範囲】
【請求項１】
光ダクトの、光入射用の採光部と光出射用の放光部との間の導光部に、前記放光部からの光出射量を調整するための放光調整部を備えた光ダクト放光部構造において、
前記放光調整部は、
前記導光部における前記放光部との離間対向部分に配設されて、放光部対向側の反射表面およびその反対側の反射裏面を備えた両面光反射部材である、
ことを特徴とする光ダクト放光部構造。
【請求項２】
前記両面光反射部材は、
前記導光部の光伝搬方向に沿った態様で配設されている、
ことを特徴とする請求項１記載の光ダクト放光部構造。
【請求項３】
前記両面光反射部材は、
前記反射表面と前記反射裏面との間で貫通する光通過用の複数の孔部を有している、
ことを特徴とする請求項１または２に記載の光ダクト放光部構造。
【請求項４】
前記放光調整部は、
平板からなる、
ことを特徴とする請求項１乃至３のいずれかに記載の光ダクト放光部構造。
【請求項５】
前記放光調整部は、
端部から中央側の折れ部分への傾斜が「放光部側に凸」の態様で設定されたＶ字状部である、
ことを特徴とする請求項１乃至３のいずれかに記載の光ダクト放光部構造。
【請求項６】
前記放光調整部は、
端部から中央側の折れ部分への傾斜が「放光部側に凹」の態様で設定された逆Ｖ字状部である、
ことを特徴とする請求項１乃至３のいずれかに記載の光ダクト放光部構造。
【発明の詳細な説明】
【技術分野】
【０００１】
本発明は、光ダクトの採光部への入射光が伝搬する導光部に例えば複数設定された放光部の光出射量を個々に調整するため、前記放光部から離間したその対向部分に、両面光反射態様の放光調整部を備えた光ダクト放光部構造に関する。
【０００２】
放光調整部は、少なくとも表裏両面がそれぞれ光反射態様の板状反射部材からなり、その表側反射面が放光部と離間対向する態様で導光部に配設される。このとき放光調整部の裏側反射面は光ダクト内周面との対向状態に設定される。
【０００３】
すなわち、採光部から光ダクトに進入した入射光は、その内面で反射しながら導光部を伝搬して、その途中の放光調整部の表側反射面で反射した表側反射光が放光部へと進む。
このように採光部入射光の一部（表側反射光）が放光部から出射する。放光調整部の裏側反射面で反射した裏側反射光は、光ダクト内周面で再反射しながら光ダクト内部を伝搬して次位置の放光部の方に進む。
【０００４】
ここで放光調整部に後述の光通過用の孔部が形成されている場合、裏側反射面への伝搬光の一部がこの孔部を通過して放光部へ進むことになり、放光部には上記表側反射光およびこの孔部通過光の双方が進入する。
【０００５】
放光調整部の、放光部に対する大きさ，距離，傾きなどの選択的な設定により、放光部から屋内空間域への出射光の程度が調整される。
【０００６】
また、放光調整部を放光部に対して任意の位置に配設できる。利用者などがその配設状態における放光部回りの外観について違和感を抱きにくい態様に設定できる。すなわち放光調整部を、その形状や影などが屋内の利用者から放光部を介しても気づかれにくい位置，傾きなどの態様で設定しえる。
【背景技術】
【０００７】
本件出願人は、屋内空間域への光ダクト放光部に放光調整部を設けて、光ダクトから屋内への出射光態様を放光部のみの場合、すなわち放光調整部なしの場合とは異なる内容に設定する光ダクト放光部構造を提案済みである（特許文献１参照）。
【０００８】
この光ダクト放光部構造は、その放光部に配設した放光調整部（光反射フィン）での光反射作用により屋内空間域への均一照射化を図りやすいといった利点を有している。
【先行技術文献】
【特許文献】
【０００９】
【特許文献１】特開２０１２−６４３６８号公報
【発明の開示】
【発明が解決しようとする課題】
【００１０】
このように屋内空間域への放光部に放光調整部（光反射フィン）を配設した上述の光ダクト放光部構造は、導光部から屋内空間域へ伝搬する出射光がその広範囲にわたって均一照射されやすいという利点を備えたものである。
【００１１】
本発明は、この放光調整部を一例とする屋内空間域への出射調整機能や、屋内空間域の利用者が放光部をみたときの外観印象などについての検討に基づくものである。
【００１２】
本発明の光ダクト放光部構造では、導光部における放光部から離間した部分へ、それぞれ両面光反射態様の放光調整部をその片側の表側反射面が放光部と対向する形で配設して、放光調整部の放光部との離間長さや配設時の傾き，大きさなどの選択により、放光部個々の光出射量調整を図ることを目的とする。
【００１３】
また、放光調整部に光通過用の孔部を形成して裏側反射面への伝搬光の一部がこの孔部を通過して放光部へ進み、放光部には表側反射光およびこの孔部通過光の双方が進入する態様にし、これにより光出射量調整の多様化を図ることを目的とする。
【００１４】
また、屋内利用者が放光部・放光調整部回りの外観について違和感を抱きにくい、すなわち放光調整部を前記孔部やその影などを屋内利用者から気づきにくい形状，位置，傾きなどに設定し、これにより前記外観の違和感防止化を図ることを目的とする。
【課題を解決するための手段】
【００１５】
本発明は、以上の課題を次のようにして解決する。
（１）光ダクト（例えば後述の光ダクト１）の、光入射用の採光部（例えば後述の採光部１ａ）と光出射用の放光部（例えば後述の放光部１ｃ）との間の導光部（例えば後述の導光部１ｂ）に、前記放光部からの光出射量を調整するための放光調整部（例えば後述の放光調整部２，３，４）を備えた光ダクト放光部構造において、
前記放光調整部は、
前記導光部における前記放光部との離間対向部分に配設されて、放光部対向側の反射表面（例えば後述の平表面２ａ，Ｖ字状表面３ｂ，逆Ｖ字状表面４ｂ）およびその反対側の反射裏面（例えば後述の平裏面２ｂ，Ｖ字状裏面３ｃ，逆Ｖ字状裏面４ｃ）を備えた両面光反射部材である、
構成態様のものを用いる。
（２）上記（１）において、
前記両面光反射部材は、
前記導光部の光伝搬方向に沿った態様で配設された、
構成態様のものを用いる。
（３）上記（１），（２）において、
前記両面光反射部材は、
前記反射表面と前記反射裏面との間で貫通する光通過用の複数の孔部（例えば後述の孔部２ｃ，３ｄ，４ｄ）を有した、
構成態様のものを用いる。
（４）上記（１），（２），（３）において、
前記放光調整部は、
平板（例えば後述の方形状の放光調整部２）からなる、
構成態様のものを用いる。
（５）上記（１），（２），（３）において、
前記放光調整部は、
端部から中央側の折れ部分への傾斜が「放光部側に凸」の態様で設定されたＶ字状部（例えば後述のＶ字状の放光調整部３）である、
構成態様のものを用いる。
（６）上記（１），（２），（３）において、
前記放光調整部は、
端部から中央側の折れ部分への傾斜が「放光部側に凹」の態様で設定された逆Ｖ字状部（例えば後述の逆Ｖ字状の放光調整部４）である、
構成態様のものを用いる。
【００１６】
以上の構成の放光調整部を備えた光ダクト放光部構造を本発明の対象としている。
【発明の効果】
【００１７】
本発明は以上の課題解決手段により、
(11)放光部個々の光出射量調整を図り、
(12)光出射量調整の多様化を図り、
(13)屋内利用者に対しての、放光部・放光調整部回りの外観上の目立ち防止化を図る、
ことなどができる。
【図面の簡単な説明】
【００１８】
【図１】方形状で孔部形成タイプの放光調整部を備えた光ダクト放光部構造を示す説明図であり、（ａ）は光ダクト全体の縦断面を示し、（ｂ）は放光調整部を設けた放光部の拡大図を示している。
【図２】図１における入射光の放光部出射態様を示す説明図である。
【図３】Ｖ字状の放光調整部を備えた光ダクト放光部構造を示す説明図である。
【図４】逆Ｖ字状の放光調整部を備えた光ダクト放光部構造を示す説明図である。
【図５】従来の放光調整部なしの光ダクト放光部構造を示す説明図である。
【発明を実施するための形態】
【００１９】
図１〜図４を用いて本発明を実施するための形態を説明する。
図５は上述のように、従来技術としての光ダクト放光部構造（放光調整部なし）を示している。
【００２０】
また、図１〜図４では単なる説明の便宜上、単一の放光部と、それとの離間対向状態で配設された単一の放光調整部と、からなる光ダクト放光部構造などを示している。
【００２１】
図１〜図５で用いるアルファベット付き参照番号の構成要素（例えば採光部１ａ）は原則として当該参照番号の数字部分の構成要素（例えば光ダクト１）の一部である、ことを示している。
【００２２】
図１〜図５において、
１は上端部から自然光などを取り込んで屋内空間域へ出射する縦方向（上下方向）筒状で周知の光ダクト，
１ａは光ダクト１の自然光入射部としての採光部，
１ｂは採光部１ａから進入する入射光の伝搬用内部空間域として作用する導光部，
１ｃは導光部１ｂの周面の上下方向飛び飛びに複数形成されて採光部入射光のいわば出力部としての放光部，
１ｄは放光部１ｃの周縁全体に外側凸の態様で形成された放光枠部，
２〜４（後述）はそれぞれ導光部１ｂにおける放光部１ｃ個々の離間対向部分に導光部長手方向の態様で配設されて、それぞれの表裏両面などでの光反射作用により放光部１ｃから屋内空間域への出射光程度を調整する、ための各種タイプの放光調整部，
をそれぞれ示している。
【００２３】
ここで、放光調整部２〜４それぞれの表裏両面に関して放光部１ｃに近い面側を「表」とし、放光部１ｃから遠い面側を「裏」とする。例えば図１，図２の放光調整部２の場合、図示右側の面部分が「表」で、図示左側の面部分が「裏」となる。
【００２４】
また、
Ａは導光部１ｂをその内周面で反射しながら図示下方側に伝搬する入射光，
Ｂは入射光Ａの中、放光調整部２〜４の表面で反射して放光部１ｃから屋内空間域へ進む表面反射出射光，
Ｃは入射光Ａの中、放光調整部２〜４の後述の孔部を裏面側から表面側の方に通過して放光部１ｃから屋内空間域へ進む孔部通過出射光，
Ｄ，Ｄ′は入射光Ａの中、導光部１ｂから放光部１ｃへ、放光調整部２〜４での反射や孔部通過などを生じることなしに進む直出射光（Ｄ′は従来例図５参照），
Ｅは入射光Ａの中、放光調整部２〜４の裏面で反射して図示下方に進む裏面反射光，
Ｆは入射光Ａの中、放光調整部２〜４の後述の孔部をその裏面側から表面側の方に通過して導光部内周面で反射しながら図示下方に進む孔部通過反射光，
をそれぞれ示している。
【００２５】
また、
２は単一平板からなる方形状の放光調整部（図１，図２参照），
２ａは放光部１ｃと対向する側の平表面，
２ｂは放光部１ｃと対向しない側の平裏面，
２ｃは平表面２ａと平裏面２ｂとの間に複数形成された光通過用の孔部，
をそれぞれ示している。
【００２６】
また、
３は横方向端部から中央折れ部分への傾斜が「放光部側に凸」の態様で設定されたＶ字状の放光調整部（図３参照），
３ａは放光調整部３の横方向両端側にそれぞれ形成された略同一垂直面内の一対の縦板状片部，
３ｂは放光部１ｃと対向する側のＶ字状表面（縦板状片部３ａの連続表面を含む），
３ｃは放光部１ｃと対向しない側のＶ字状裏面（縦板状片部３ａの連続裏面を含む），
３ｄはＶ字状表面３ｂとＶ字状裏面３ｃとの間に複数形成された光通過用の孔部，
をそれぞれ示している。
【００２７】
また、
４は横方向端部から中央折れ部分への傾斜が「放光部側に凹」の態様で設定された逆Ｖ字状の放光調整部（図４参照），
４ａは放光調整部４の横方向両端側にそれぞれ形成された略同一垂直面内の一対の縦板状片部，
４ｂは放光部１ｃと対向する側の逆Ｖ字状表面（縦板状片部４ａの連続表面を含む），
４ｃは放光部１ｃと対向しない側の逆Ｖ字状裏面（縦板状片部４ａの連続裏面を含む），
４ｄは逆Ｖ字状表面４ｂと逆Ｖ字状裏面４ｃとの間に複数形成された光通過用の孔部，
をそれぞれ示している。
【００２８】
ここで、図示の放光調整部２，３，４はそれぞれ、光ダクトの出射光の調整を必要とする各放光部１ｃの離間対向部分に配設されている。必要に応じて放光調整部２，３，４を設けた放光部１ｃと、設けていない放光部１ｃとが混在してもよい。
【００２９】
光ダクト１および放光枠部１ｄの各内面部分ならびに平表面２ａ，平裏面２ｂ，Ｖ字状表面３ｂ，Ｖ字状裏面３ｃ，逆Ｖ字状表面４ｂおよび逆Ｖ字状裏面４ｃは、それぞれ鏡面反射仕様または拡散高反射仕様に設定される。
【００３０】
この鏡面反射仕様または拡散高反射仕様は、
(21)アルミニウム，ガラス，樹脂フィルムなどの鏡面部材を配置する、
(22)アルミニウム，銀などを真空蒸着する、
(23)白色顔料，銀色顔料またはガラスビーズを含有または塗布した樹脂フィルムや表面に微細な凹凸を設けた金属箔などの拡散高反射部材を配置する、
(24)白色顔料や銀色顔料などを塗布する、
などの手法によって設定される。
【００３１】
放光調整部２，３，４は、それぞれ導光部１ｂの内周面部分に、周知のＬ字状アングル（図示省略）などを介して、または直接に接着，ビス止めなどの各種固定手段で取り付けられている。
【００３２】
図１および図２は、方形状の放光調整部２を放光部１ｃの離間対向部分に配設した光ダクト１を示している。
【００３３】
ここで放光調整部２はその平表面２ａが放光部１ｃと離間対向し、その平裏面２ｂは導光部１ｂを構成する内周面と対向している。
【００３４】
この対向関係の下、採光部１ａから入射して導光部内周面で反射しながら伝搬する入射光Ａは上述したように、放光調整部２および放光部１ｃの一組ごとに概略、
(31)放光調整部２の平表面２ａで反射して放光部１ｃに進み，
(32)放光調整部２の孔部２ｃを平裏面２ｂから平表面２ａの方へ通過して放光部１ｃに進み，
(33)放光調整部２をいわばパスする形で放光部１ｃへ直に進み、
(34)放光調整部２の平裏面２ｂで反射して導光部１ｂの内周面に進み，
(35)放光調整部２の孔部２ｃを平表面２ａから平裏面２ｂの方へ通過して導光部１ｂの内周面に進む、
といった複数の光伝搬事象が生じている。
【００３５】
この(31)〜(33)の進み入射光が放光部１ｃからの出射光となり、(34)および(35)の進み入射光はいわば次の放光調整部２への導光部伝搬光となる。
【００３６】
図３は、Ｖ字状の放光調整部３を放光部１ｃの離間対向部分に配設した光ダクト１を示している。
【００３７】
放光調整部３は、Ｖ字状表面３ｂの図示上下方向の稜線側部分がその左右両側よりも放光部１ｃの方にいわば迫り出す態様で配設されている。
【００３８】
図４は、逆Ｖ字状の放光調整部４を放光部１ｃの離間対向部分に配設した光ダクト１を示している。
【００３９】
放光調整部４は、逆Ｖ字状表面４ｂの図示上下方向の稜線側部分がその左右両側よりも放光部１ｃから離れる方にいわば凹む態様で配設されている。
【００４０】
図３および図４の光ダクト放光部構造は、図１，図２の方形状の放光調整部２に代えてＶ字状の放光調整部３および逆Ｖ字状の放光調整部４を備えたものである。放光調整部３，４はそれぞれ放光部１ｃと離間対向している。
【００４１】
また、この放光調整部３，４にも放光調整部２と同様の光通過用の孔部３ｄ，４ｄが形成されている。
【００４２】
図３および図４の光ダクト放光部構造においても、採光部１ａからの入射光Ａは、放光調整部３，４のそれぞれと放光部１ｃとの一組ごとに概略、
(41)Ｖ字状表面３ｂおよび逆Ｖ字状表面４ｂで反射して放光部１ｃに進み，
(42)孔部３ｄ，４ｄをＶ字状裏面３ｃおよび逆Ｖ字状裏面４ｃからＶ字状表面３ｂおよび逆Ｖ字状表面４ｂの方へ通過して放光部１ｃに進み，
(43)放光調整部３，４をいわばパスする形で放光部１ｃへ直に進み、
(44)Ｖ字状裏面３ｃおよび逆Ｖ字状裏面４ｃで反射して導光部１ｂの内周面に進み，
(45)孔部３ｄ，４ｄをＶ字状表面３ｂおよび逆Ｖ字状表面４ｂからＶ字状裏面３ｃおよび逆Ｖ字状裏面４ｃの方へ通過して導光部１ｂの内周面に進む、
といった複数の光伝搬事象が生じている。
【００４３】
この(41)〜(43)の進み入射光が放光部１ｃからの出射光となり、(44)および(45)の進み入射光はいわば次の放光調整部３，４への導光部伝搬光となる。
【００４４】
本発明は、このように表裏両面それぞれが光反射作用を呈する放光調整部２〜４を、光ダクト１の導光部１ｂに放光部１ｃとの離間対向状態で配設した形の光ダクト放光部構造に関する。
【００４５】
この放光調整部２〜４の設置により、放光部１ｃとその対向位置の導光部内周面との空間域が、
・放光調整部２〜４から放光部１ｃまでの表側出射光通路域
・放光調整部２〜４から導光部（内周面）１ｂまでの裏側内部伝搬光通路域
に大別される。
【００４６】
すなわち、導光部１ｂに配設した放光調整部２〜４それぞれの表面側で放光部１ｃへの出射光態様が、また放光調整部２〜４それぞれの裏面側でいわば導光部下流側への伝搬光態様が設定される。
【００４７】
この設定に際しては、放光調整部２〜４それぞれに関し、大きさ，形状および孔部２ｃ，３ｄ，４ｄの開口率ならびに放光部１ｃまでの離間長さなどを前記目的にかなうように選択する。
【００４８】
本発明が以上の実施形態に限定されないことは勿論であり例えば、
(51)図示の縦タイプの光ダクトに代えて略水平状態に配設した横タイプの光ダクトを用いる、
(52)放光調整部として異なる種類を組み合わせた態様のものを用いる、
(53)放光調整部の構成要素の板部材として、曲板形状，多角形を含む折り曲げ形状および台形，蒲鉾型などの非矩形形状などのものを用いる、
(54)放光部１ｃの開口面積よりも小さい放光調整部を用いる、
(55)孔部２ｃ，３ｄ，４ｄを省略する、
ようにしてもよい。
【符号の説明】
【００４９】
１：光ダクト
１ａ：採光部
１ｂ：導光部
１ｃ：放光部
１ｄ：放光枠部
【００５０】
Ａ：入射光
Ｂ：表面反射出射光
Ｃ：孔部通過出射光
Ｄ，Ｄ′：直出射光（Ｄ′は従来例，図５参照）
Ｅ：裏面反射光
Ｆ：孔部通過反射光
【００５１】
２：方形状の放光調整部（図１，図２参照）
２ａ：平表面
２ｂ：平裏面
２ｃ：光通過用の孔部
【００５２】
３：Ｖ字状の放光調整部（図３参照）
３ａ：一対の縦板状片部
３ｂ：Ｖ字状表面
３ｃ：Ｖ字状裏面
３ｄ：光通過用の孔部
【００５３】
４：逆Ｖ字状の放光調整部（図４参照）
４ａ：一対の縦板状片部
４ｂ：逆Ｖ字状表面
４ｃ：逆Ｖ字状裏面
４ｄ：光通過用の孔部
【図１】
2020035616.tif 000003
【図２】
2020035616.tif 000004
【図３】
2020035616.tif 000005
【図４】
2020035616.tif 000006
【図５】
2020035616.tif 000007